(57)【要約】【課題】平面地図表示部の平面地図上に任意の２地点を指定し、この２地点間の地形断面図を地形断面図表示部に表示し、地形断面図上の障害の位置を指定し、平面地図上にこの障害位置を表示する。【解決手段】所定の範囲内の平面地図を地図データファイルから読出し表示する表示部と、上記平面地図に所定の少なくとも２地点を指定するための入力手段と、上記地図データファイルから得られる位置情報を基に高度データを得るための高度データファイルと、上記表示部に上記指定された２地点間の地形断面図を表示するために上記高度データファイルからの高度データを基に上記地形断面図を生成する地形断面図生成部からなり、上記入力手段は、上記地形断面図に所定の指定線を指定する機能を有し、上記指定線の指定に基いて、上記平面地図上の上記２地点間に上記指定線に対応する位置マークを表示するように構成される。【選択図】図１
2004279508.tif 000002
【特許請求の範囲】
【請求項１】
所定の範囲内の平面地図を地図データファイルから読出し表示する表示部と、上記平面地図に所定の少なくとも２地点を指定するための入力手段と、上記地図データファイルから得られる位置情報を基に高度データを得るための高度データファイルと、上記表示部に上記指定された２地点間の地形断面図を表示するために上記高度データファイルからの高度データを基に上記地形断面図を生成する地形断面図生成部からなり、上記入力手段は、上記地形断面図に所定の指定線を指定する機能を有し、上記指定線の指定に基いて、上記平面地図上の上記２地点間に上記指定線に対応する位置マークを表示することを特徴とする表示装置。
【発明の詳細な説明】
【０００１】
【発明の属する技術分野】
本発明は、電波伝播経路表示方法および表示装置に関し、特に、テレビジョン放送などで使用される送信局と受信局との間の電波伝播経路表示方法および表示装置に関するものである。
【０００２】
【従来の技術】
テレビジョン放送等の移動中継伝送システムでは、ニュース番組をはじめ各種の番組で使用する映像素材をテレビジョンカメラで撮像し、この映像信号（音声信号も含む）を中継現場から中継車等に搭載している、例えば、ＦＰＵ（Ｆｉｅｌｄ  Ｐｉｃｋ−ｕｐ  Ｕｎｉｔ）の送信機を用いてマイクロ波でもって、受信基地局、例えば、見通しの良い山頂などに設置された中継局に送信し、この中継局からやはり見通しの良い受信基地局にこの映像信号を送信する。この受信基地局は、受信した映像信号を、更に、受信基地局から専用の伝送回線で放送局へ伝送し、放送局にある録画装置に収録したり、受信した映像信号をそのまま放送局から放送したりする。
【０００３】
従って、中継車等と中継局との間には、電波を遮る障害物のない良好な電波伝播経路を設定する必要がある。そのため送信機を設置するのに適した送信地点の割出しを行っているが、この割出しは、過去に実績のある送信地点のうちから選択したり、あるいは、例えば、市販されている５０ｍメッシュあるいは２５０ｍメッシュで日本全国の地表面を区切った地表高データを使用して送信地点および受信地点間の地形的なプロファイルを作成および表示し、障害物の有無を判定する方法等が使用されている。
【０００４】
具体的にＦＰＵ受信基地局の遠方監視制御装置（例えば、特許文献１参照。）には、ＦＰＵ受信基地局を中心とした地図面を表示し、これに高度データファイルからの高度データをもとに地形隆起パターンを生成し、中継回線ルートと共にマイクロルート見通し判定表示部に表示する技術が知られている。
【０００５】
また、マイクロ波の回線ルート表示装置（例えば、特許文献２参照。）には、２地点間のマイクロ回線ルートの確立の有無を判断するために２地点間の地形プロファイルラインを高度データを基に生成する技術が示されている。
【０００６】
また、電波伝播経路の地形的なプロフィール計算結果の表示方法（例えば、特許文献３参照。）には、送信地点、受信地点の経度および緯度とアンテナ設置高度を入力し、これらに地形標高データを用いて電波伝播経路の地形的なプロフィールを計算し、表示装置に表示する技術が示されている。
【０００７】
更にまた、マイクロルート探索支援システムおよびそのプロフィールチャート作成方法（例えば、特許文献４参照。）には、プロフィール作成時間を短縮するためにマイクロルートの送信位置、受信位置を指定し、記憶装置からの標高メッシュデータに基きＲＡＭ上でプロフィールチャートを作成し、表示する技術が示されている。
【０００８】
しかしながらこれら従来の技術は、地形断面図表示装置で平面地図上に送信地点および受信地点の２地点を指定し、平面地図上に２地点間の線及び地形断面図を表示し、この平面地図と断面図とを基にして、電波伝播経路をオペレータが平面地図をスクロールしながら電波伝播経路の見通し状況を確認している状況である。
【０００９】
【特許文献１】
特公平７−９７７５９号公報（第２頁、第２図）
【特許文献２】
特開平１０−５１３６８号公報（第４頁、図２、３）
【特許文献３】
特開２０００−３４１２２４号公報（第３、４頁、図１、２）
【特許文献４】
特開平６−３２５１１５号公報（第３頁、図１）
【００１０】
【発明が解決しようとする課題】
上述した従来の表示装置では地形断面図に基いて電波伝播経路の見通しの状況を確認し、地形断面図上で確認される障害となる地形が平面地図上のどの位置にあるか、平面地図をスクロールさせながらオペレータが探さなければならない欠点がある。
【００１１】
本発明の第一の目的は，地形断面図表示部の任意の位置を指定し、平面地図上にそのマーカーを表示することにより、見通しの障害となる地形との交差点を容易に探索可能とする電波伝播経路表示方法および表示装置を提供することである。
【００１２】
本発明の第二の目的は、地形断面図の位置を連続的に指定することにより平面地図上の障害となる地形を探す際の地図操作を容易にする電波伝播経路表示方法および表示装置を提供することである。
【００１３】
【課題を解決するための手段】
本発明の表示装置は、所定の範囲内の平面地図を地図データファイルから読出し表示する表示部と、上記平面地図に所定の少なくとも２地点を指定するための入力手段と、上記地図データファイルから得られる位置情報を基に高度データを得るための高度データファイルと、上記表示部に上記指定された２地点間の地形断面図を表示するために上記高度データファイルからの高度データを基に上記地形断面図を生成する地形断面図生成部からなり、上記入力手段は、上記地形断面図に所定の指定線を指定する機能を有し、上記指定線の指定に基いて、上記平面地図上の上記２地点間に上記指定線に対応する位置マークを表示するように構成される。
【００１４】
また、本発明の表示装置において、上記地形断面図は、地形断面表示線を表示し、上記位置マークは、上記指定線と上記地形断面表示線との交点に位置するように構成する。
【００１５】
また、本発明の表示装置において、上記平面図は、上記位置マークを中心とする拡大平面図であり、上記地形断面図の指定線を上記入力手段で動かすことにより、上記拡大平面図が上記２地点間をスクロールするように構成される。
【００１６】
更にまた、本発明の電波伝播経路表示方法は、所定の範囲内の平面地図を地図データファイルから読出し表示部に表示し、上記平面地図に少なくとも送受信のための所定の２地点を指定すると共に表示し、上記地図データファイルから得られる位置情報を基に高度データファイルから高度データを出力し、上記表示部に上記指定された２地点間の地形断面図を表示するために上記地図データファイルから得られる位置情報を基に高度データファイルから高度データを読出し、上記地形断面図を生成し、上記地形断面図に所定の指定線を指定し、上記指定線の指定に基いて、上記平面地図上の上記２点間に上記指定線に対応する位置マークを表示するものである。
【００１７】
【発明の実施の形態】
図３は、本発明の一実施例を説明するためのブロック図である。図３において、１は、平面地図および地形断面等を表示するための表示部、２は、地図データファイルであって、例えば、市販されている緯度ＬＡ、経度ＬＯおよび等高線のデータが蓄積されている。３は、高度データファイルであって、例えば、国土地理印発行の高度データが蓄積されている。この高度データは、日本全国の地表面を２５０ｍあるいは５０ｍのメッシュ（格子状）に区切られ、それぞれのメッシュには、緯度ＬＡおよび経度ＬＯと、各メッシュにおける平均高度データＡが付けられている。４は、マイコンのようなコンピュータ（ＣＰＵ）で、地図断面図生成部５と処理部６から構成されている。７は、キーボードまたはマウス等の入力部である。
【００１８】
次に、本発明の動作について以下説明する。図１は、本発明の動作を説明するための表示部１の表示状態を示す図である。図１において、１１は、表示部１の表示画面を示し、１２は、所定範囲の平面地図を表示した平面地図表示部であり、１３は、所定範囲の地形断面を表示した地形断面図表示部である。１５は、ニュース等の中継のために中継現場に置かれた移動局、１４は、移動局１５から例えば、マイクロ波で送られてくる映像信号を受信する中継局である。１６は、移動局１５から中継局１４へのマイクロ波等の電波伝播経路を示している。１７は、電波伝播経路１６上に表示される位置マーカで、ここでは、例えば、小高い山があることを示すための位置マーカである。この位置マーカが電波伝播経路１６上に表示されると、この電波伝播経路１６は、移動局１５から中継局１４への電波伝播経路１６としては、不適当（見通しが悪い）であり、移動局１５を移動して、新たに電波伝播経路を再設定すべきことを表示している。１８は、電波伝播経路１６に沿った地形断面表示線、１９は、地図表示指定線で、この地図表示指定線１９と地形断面表示線１８との交点に位置マーカ１７が表示されることを示している。
【００１９】
而して、平面地図表示部１２への地図表示、中継局１４、移動局１５および電波伝播経路１６の表示について説明する。まず、中継局１４の緯度（ＬＡ１）および経度（ＬＯ１）をマウス（所要押しボタンの選択）とキーボード（数値の入力）を使用して指定する。次に、移動局１５の緯度（ＬＡｎ）および経度（ＬＯｍ）を同様に指定する。これらデータが入力されると、ＣＰＵ４は、地図データファイル２から必要なデータを読み出し、表示部１の平面地図表示部１２に図１に示すように必要な部分の地図を表示する。なお、地図表示は、上記のような緯度および経度の入力以外に、例えば市町村名を指定し、必要な範囲を表示させ、所定地点をマウス等でクリックして、中継局１４、移動局１５を指定することもできるし、タッチパネルのような入力装置で入力することもできる。
【００２０】
次に、地形断面図表示部１３に地形断面表示線１８を表示する方法について、図４を用いて説明する。なお、図１と同じものには同じ符号が付されている。先に説明したように中継局１４の緯度（ＬＡ１）、経度（ＬＯ１）および移動局１５の緯度（ＬＡｎ）および経度（ＬＯｍ）が指定されると、中継局１４と移動局１５を結ぶ線１６上、即ち、電波伝播経路１６上の緯度および経度が地図データファイル２から読み出され、断面図生成部５に出力される。一方、ＣＰＵ６は、地図データファイル２から読み出された緯度および経度情報を基に、高度データファイル３からそれぞれの（緯度、経度）の情報、即ち、（ＬＡ１、ＬＯ１）、（ＬＡ２、ＬＯ２）・・（ＬＡｎ、ＬＯｎ）の情報に対応する、例えばそれぞれの５０ｍメッシュの平均高度データＡ１、Ａ２、・・・・・Ａｎを断面図生成部５に出力する。なお、５０ｍメッシュのそれぞれの正方形の面積の緯度、経度情報は、本実施例では、各正方形の左上の角の緯度、経度情報で代表するものとする。例えば、高度Ａ１は、（ＬＡ１、ＬＯ１）で代表する。この場合、電波伝播経路１６上の緯度および経度の情報と若干異なるが、高々５０ｍ程度であり、電波伝播経路１６の設定には大きな影響はない。断面図生成部５では、これら緯度、経度および高度データを基に地形断面表示線を演算し、地形断面図表示部１３に地形断面表示線１８を表示する。
【００２１】
次に、位置マーカ１７の表示方法について図５を基に説明する。地形断面表示線１８が地形断面図表示部１３に表示されると、見通し回線ライン５１が中継局１４と移動局１５の間に表示される。この見通し回線ライン５１は、電波伝播経路１６に相当するものである。電波伝播経路１６は、平面的な表示であるのに対して、見通し回線ライン５１は、高度データに基くもので、この見通し回線ライン５１に小高い山５２が存在すると、中継局１４と移動局１５の間は、見通しが得られないため、電波伝播経路１６は、設置できないこととになる。従って、この小高い山５２の存在を示すために、地図表示指定線１９を地図断面図表示部１３で指定すると、平面地図表示部１２に位置マーカ１７が表示される。その結果、平面地図表示部１２の位置マーカ１７の位置には、小高い山５２が存在し、中継局１４と移動局１５の間の電波伝播経路１６は、設定できないため、移動局を移動して新たに別の電波伝播経路を設置する必要があることを示している。
【００２２】
この位置マーカ１７の位置の表示方法について以下に説明する。図５に示す地形断面図表示部１３おける地形断面図表示線１８上の中継局１４と移動局１５の水平方向（図１では経度に対応する）の位置座標をＹ１およびＹ２とすると、Ｙ１とＹ２は、図１の平面地図表示部１２では、中継局１４の経度ＬＡ１と移動局１５の経度ＬＡｎに対応する。従って、比例関係式から位置マーク１７の位置を処理部６で演算し、表示する。即ち、図５に示す地形断面図表示部１３上のＹ１とＹ２間の長さを計算し、これをＬとする。また、地図表示指定線１９とＹ１との長さを計算し、これをＬｘとする。一方、図１の平面地図表示部１２上の中継局１４の経度ＬＡ１と移動局１５の経度ＬＡｎとの間の経度差を演算し、これをＤとする。また、表示すべき位置マーカ１７の経度をＬＡｘとし、中継局１４の経度ＬＡ１との経度差をＤｘとすると、次の（１）式でＤｘが求められる。
【００２３】
Ｄｘ＝Ｄ×Ｌｘ／Ｌ・・・・・・・・・・・・・・・（１）
従って、この経度差Ｄｘを中継局１４の経度ＬＡ１に加算すると、位置マーカ１７の経度ＬＡｘが算出されるので、この経度ＬＡ１と電波伝播経路１６との交点に位置マーク１７を表示する。なお、地図表示指定線１９を左右に移動すると、長さＬｘは、変化するので、この移動に従ってＤｘは、変化し、位置マーカ１７が電波伝播経路１６上を適宜移動させることができる。その結果、オペレータは、地形断面図表示部１３の地図表示指定線１９をマウス等で移動すると、地形断面図表示部１３の任意の位置を平面地図表示部１２上の位置マーク１７として表示できるので、移動局１５を設置するのに適した送信地点の割出しが極めて容易となる。
【００２４】
次に、本発明の他の一実施例について、図２を用いて説明する。通常、図１の平面地図表示部１２に表示される平面地図は、拡大表示が可能であり、例えば地形の詳細や道路の有無を調べるために使用される。図２は、地形断面図表示部２に表示された平面地図を拡大表示した場合を示している。このように拡大表示すると、例えば、中継局１４と移動局１５の位置を示す地点や電波伝播経路１６の全貌を１つの平面地図表示部１２で見ることができない。従って、このように拡大表示された平面地図の全体を見るためには、画面をスクロールする以外に方法がない。従来、平面地図表示部１２をスクロールするためには、平面地図表示部１２上に表示されている平面地図にマウスまたはキーボードで緯度、経度および移動方向を指定し、スクロールする以外に方法がなく、オペレータが作成した電波伝播経路１６に沿って簡単に画面をスクロールすることはできなかった。
【００２５】
本発明では、地形断面図表示部１３上で、地図表示指定線１９を左右に移動すると、平面地図表示部１２が電波伝播経路１６に沿って移動するようにしたものである。以下これについて図６を基に説明する。図６において、図１および図５と同じものには、同じ符号が付されている。上述したように地形断面図表示部１３の地図表示指定線１９を移動すると、これに従って位置マーカ１７が電波伝播経路１６に沿って移動することを説明した。図６では、この原理を用いて拡大された地図を移動する。即ち、位置マーカ１７の経度および緯度が地図データファイル２から得られる。この位置マーカ１７を中心にして、例えば、地図の倍率を設定すると、位置マーカ１７を中心にした所定範囲の平面地図が地図データファイル２から得られるので、このデータを平面地図表示部１２（図２に示す）に表示する。
【００２６】
一方、オペレータが地形断面図表示部１３の地図表示指定線１９を移動すると、上記（１）式に従って、位置マーカ１７の経度と緯度が得られ、且つ、位置マーカ１７を中心にした所定範囲の平面地図データが地図データファイル２から得られるので、位置マーカ１７を中心にして所定倍率で拡大された平面地図が電波伝播経路１６に沿って移動させることができる。従って、オペレータは、地形断面図表示部１３の地図表示指定線１９を左右に移動するだけで極めて容易に平面地図表示部１２の平面図を電波伝播経路１６に沿って移動させることができる。
【００２７】
以上、本発明について詳細に説明したが、本発明は、ここに記載された電波伝播経路表示方法および表示装置に限定されるものではなく、上記以外の地図表示方法および表示装置にも広く適応することが出来ることは、言うまでも無い。
【００２８】
【発明の効果】
以上説明したように本発明によれば，平面地図表示部の任意の２点を指定し、地形断面図表示部に表示させた地図表示指定線を指定することにより、地形断面図表示部の所定地点を容易に平面地図表示部の平面地図上に表示し、その位置関係の確認をすることができる。
【００２９】
また，地図拡大時など全体の地図が確認できないときは，地図表示指定線を連続的に移動することにより、平面地図表示部に表示される平面地図を容易にスクロールすることができ、オペレータの操作負担を軽減することができる。
【図面の簡単な説明】
【図１】本発明の一実施例を説明するための表示画面を示す図である。
【図２】本発明の他の一実施例を説明するための表示画面を示す図である。
【図３】本発明の一実施例のブロック構成を示す図である。
【図４】本発明の原理を説明するための図である。
【図５】本発明の原理を説明するための図である。
【図６】本発明の他の一実施例の原理を説明するための図である。
【符号の説明】
１：表示部、２：地図データファイル、３：高度データファイル、４：ＣＰＵ、５：地図断面図生成部、６：処理部、７：入力部、１１：表示画面、１２：平面地図表示部、１３：地形断面図表示部、１４：中継局、１５：移動局、１６：電波伝播経路、１７：位置マーカー、１８：地形断面表示線、１９：地図表示指定線。
【図１】
2004279508.tif 000003
【図２】
2004279508.tif 000004
【図３】
2004279508.tif 000005
【図４】
2004279508.tif 000006
【図５】
2004279508.tif 000007
【図６】
2004279508.tif 000008